(57)【要約】【課題】うなぎ等を釣り上げたとき、うなぎ等に触れることなく口から釣り針を取ることができなかった。うなぎ等を釣り上げたとき、口から釣り針を取るときうなぎ等が腕に絡みつき、絡みついた腕がうなぎ等の臭いがしばらくは取れなかった。【解決手段】筒形捕獲具は、筒形の形状をしていて一端の筒の先はＬ字形に切断し、筒の上部に蛇腹のついた金具を設け、その形状はコの字形をしていてコの字形の両方にはノコギリのような刃先を設け、ボルト・ナットで二箇所に留め、ボルト・ナットの間にワッシャーとコイルバネを挟み、奥のボルトは短く手前のボルトは長くし、もう他端の筒の先には、斜めに切断した挿入口を設け、筒の背の部分には末端から末端にかけて切り込みを設けた筒形捕獲具。【選択図】図１
2018143227.tif 000002
【特許請求の範囲】
【請求項１】
筒形捕獲具は、筒形の形状をしていて一端の筒の先はＬ字形に切断し、筒の上部に蛇腹のついた金具を設け、その形状はコの字形をしていてコの字形の両方にはノコギリのような刃先を設け、ボルト・ナットで二箇所に留め、ボルト・ナットの間にワッシャーとコイルバネを挟み、奥のボルトは短く手前のボルトは長くし、もう他端の筒の先には、斜めに切断した挿入口を設け、筒の背の部分には末端から末端にかけて切り込みを設けた筒形捕獲具。
【発明の詳細な説明】
【技術分野】
【０００１】  本発明は、魚類のうなぎやあなごを釣り上げたときにうなぎやあなごに触れることなく口から釣り針をとるための、捕獲具筒形捕獲具に関するものである。
【背景技術】
【０００２】  従来、うなぎやあなごを釣り上げてときに、手袋を着用し、うなぎやあなごに布をまいて口から釣り針を取っていた。
【発明の概要】
【発明が解決しようとする課題】
【０００３】  従来のうなぎやあなごを釣り上げ口から釣り針をとる場合は、次のような問題点があった。
（イ）従来のうなぎやあなごを釣り上げたとき、うなぎやあなごに触れることなく口から釣り針を取ることができなかった。
（ロ）うなぎやあなごを釣り上げたとき、口から釣り針を取るときうなぎやあなごが腕に絡みつき、絡みついた腕がうなぎやあなごの臭いがしばらくはとれなかった。
本発明は、これらの問題を解決するためになされたものである。
【課題を解決するための手段】
【０００４】  筒形捕獲具は、筒形の形状をしていて一端の筒の先はＬ字形に切断し、筒上部に蛇腹のついた金具を設け、その形状はコの字形をしていてコの字形の両方にはノコギリのような刃先を設け、ボルト・ナットで二箇所に留め、ボルト・ナットの間にワッシャーとコイルバネを挟み、奥のボルトは短く手前のボルトは長くし、もう他端の筒の先には、斜めに切断した挿入口を設け、筒の背の部分には末端から末端にかけて切り込みを設けた筒形捕獲具。
【発明の効果】
【０００５】  うなぎやあなごを釣り上げたとき、釣り糸を筒の背の部分に切り込みを入れたところから釣り糸を挿入させ、斜めに切断した筒の挿入口を釣り上げたうなぎやあなごに向け釣り糸を引き寄せる、筒の中に引き寄せるためにうなぎやあなごの頭が入りやすくする役割がある。釣り糸をさらに引き上げ、蛇腹のついた金具を設けた箇所まで引き上げ、うなぎやあなごの頭が見えてきたら蛇腹のついた金具で挟み込みうなぎやあなごの口から釣り針を取り、筒の一端をクーラーボックスに向け蛇腹のついた金具から指を離すとクーラーボックスめがけ滑り込んでいくので、一切うなぎやあなごに触れることなく捕獲できる。
以上を特徴とする筒形捕獲具である。
【図面の簡単な説明】
【０００６】
【図１】本発明の筒形捕獲具本体及び筒形捕獲具本体に蛇腹のついた金具とボルト・ナットの斜視図。
【図２】本発明の筒形捕獲具本体の他端を側から見た挿入口の斜視図。
【図３】本発明の筒形捕獲具本体の背の部分に切り目を入れた斜視図。
【図４】本発明の筒形捕獲具本体に蛇腹のついた金具の形状を現した斜視図。
【図５】本発明の筒形捕獲具本体に蛇腹のついた金具を押したときの留め具を表した斜視図。
【図６】本発明の筒形捕獲具本体を使用してうなぎを釣り上げる斜視図。
【図７】本発明の筒形捕獲具本体を使用してうなぎを捕獲後うなぎから釣り針を取るときの斜視図。
【発明を実施するための形態】
【０００７】  以下、本発明の実施の形態について説明する。
（イ）図１のように筒形捕獲具本体（１）は、筒形の形状を有している。一端の筒の先はＬ字形に切断し、切断後の筒の上部に蛇腹のついた金具（２）を設け、図４のように蛇腹のついた金具（２）はコの字形をしていてコの字形の両方にはノコギリのような刃先（１２）を設けた。奥のボルト・ナット（３）と手前のボルト・ナット（４）で二箇所に留め、ボルト・ナット（３）とボルト・ナット（４）の間にワッシャー（５）とコイルバネ（６）を挟み、奥のボルト（３）は短く手前のボルト（４）は長くした。
（ロ）図５のように蛇腹のついた金具（２）を押すと蛇腹のついた金具（２）が斜めになるために、奥のボルト・ナット（３）が支点となりコイルバネ（６）が圧縮されワッシャー（５）が受け皿となり、手前のボルト・ナット（４）のコイルバネ（６）も圧縮されワッシャー（５）が受け皿となる。
（ハ）図２のように筒形捕獲具本体（１）のもう他端の先には、斜めに切断した挿入口（７）を設けた。
（ニ）図３のように筒形捕獲具本体（１）の背の部分には、筒形捕獲具本体（１）の末端から末端にかけて切り込み（８）を設けた。
本発明は以上のような構造である。
【０００８】  本発明を使用するときは図３のようにうなぎやあなごを釣り上げたとき、筒形捕獲具（１）の背の部分に切り込み（８）を入れたところから、図６に示すように釣り糸（１０）を挿入させ、筒形捕獲具本体（１）の他端を斜めに切断した挿入口（７）を釣り上げたうなぎやあなご（９）に向けて釣り糸（１０）を引き寄せる、筒形捕獲具本体（１）の中に引き寄せるためにうなぎやあなご（９）の頭が挿入口（７）に入りやすくしてある。更に、図７のように釣り糸（１０）を引き上げ、蛇腹のついた金具（２）の箇所まで引き上げ、うなぎやあなご（９）の頭が見えてきたら蛇腹のついた金具（２）で挟み込む。奥のボルト・ナット（３）と手前のボルト・ナット（４）で蛇腹のついた金具（２）はコイルバネ（６）とワッシャー（５）で固定され奥のボルト（３）は短く手前のボルト（４）が長いために奥のボルト・ナット（３）を支点として、うなぎやあなご（９）の頭を蛇腹のついた金具（２）で挟み込み、蛇腹のついた金具（２）はコの字形をしていて、コの字形の両方にはノコギリのような刃先（１２）を設けているので、うなぎやあなご（９）の胴体を逃がすことなく固定できるので、あわてる事なくうなぎやあなご（９）の口から釣り針（１１）をはずすことができ一切うなぎやあなご（９）に触れることなく捕獲ができる。
【符号の説明】
【０００９】１    筒形捕獲具本体
２    蛇腹のついた金具
３    奥のボルト・ナット
４    手前のボルト・ナット
５    ワッシャー
６    コイルバネ
７    挿入口
８    切り込み
９    うなぎやあなご
１０  釣り糸
１１  釣り針
１２  刃先
【図１】
2018143227.tif 000003
【図２】
2018143227.tif 000004
【図３】
2018143227.tif 000005
【図４】
2018143227.tif 000006
【図５】
2018143227.tif 000007
【図６】
2018143227.tif 000008
【図７】
2018143227.tif 000009